(57)【要約】【課題】歯科用インプラント手術分野において、歯科用インプラント手術の切開部縫合に使用するクリップの取り付け及び取り外しが容易に、かつ、安全に行える手術用器具を提供する。【解決手段】本手術用器具である把持鉗子は、一対の柄部の各一端に把持部を、各他端に先端部をそれぞれ設け、かつ、前記把持部の開閉に応じて支点を中心に前記先端部が開閉する手術用器具において、その先端部が開閉面に対して垂直な方向に弧状に屈曲し、かつ、先端部に着脱自在に把持用部品が取り付けられる。この把持用部品は、切開部縫合に使用するクリップの形状に適した把持形状を備えるもので、把持用部品と把持鉗子の先端部は、螺子を用いて取り付ける。【選択図】図１
2008264250.tif 000002
【特許請求の範囲】
【請求項１】
一対の柄部の各一端に把持部を、各他端に先端部をそれぞれ設け、かつ、前記把持部の開閉に応じて支点を中心に前記先端部が開閉する手術用器具において、前記先端部が開閉面に対して垂直な方向に弧状に屈曲し、かつ、前記先端部に着脱自在に把持用部品が取り付けられていることを特徴とする手術用把持鉗子。
【請求項２】
前記先端部は、外側に少なくとも１段の段差が成形され、前記把持用部品が該段差と噛み合うような形状に成形されていることを特徴とする請求項１に記載の手術用把持鉗子。
【請求項３】
前記把持用部品は、クリップの把持部と嵌合し得る凹凸を有する形状を成すことを特徴とする請求項１又は２に記載の手術用把持鉗子。
【発明の詳細な説明】
【技術分野】
【０００１】
本発明は、主として歯科用インプラント手術の切開部縫合に使用するクリップの取り付け、取り外しのための把持鉗子に関するものである。
【背景技術】
【０００２】
現在、歯科インプラント等の口腔内手術には、高度な手技スキルを有する口腔外科医が対応する場合が多い。しかしながら、このような特殊な口腔外科医の数は少なく、口腔内手術をうける患者が長期間手術を待たされるということが生じている。
【０００３】
このような事情から、現在、歯科用インプラント手術の切開部縫合に使用するクリップの取り付け及び取り外しが容易に、かつ、安全、確実にできる手術用器具が求められている（特許文献１）。
【０００４】
【特許文献１】特開２００５−０２８００１号公報
【発明の開示】
【発明が解決しようとする課題】
【０００５】
本発明に係る口腔用手術用デバイスは、上記事情に着目してなされたもので、歯科用インプラント手術分野において、歯科用インプラント手術の切開部縫合に使用するクリップの取り付け及び取り外しが容易に、かつ、安全に行える手術用器具を提供することを目的とする。
【課題を解決するための手段】
【０００６】
上記の目的を達成するため、本発明の口腔用手術用デバイスは、一対の柄部の各一端に把持部を、各他端に先端部をそれぞれ設け、かつ、前記把持部の開閉に応じて支点を中心に前記先端部が開閉する手術用器具において、前記先端部が開閉面に対して垂直な方向に弧状に屈曲し、かつ、前記先端部に着脱自在に把持用部品が取り付けられていることを特徴とする。
【０００７】
ここで、上記先端部は、外側に少なくとも１段の段差が成形され、前記把持用部品が該段差と噛み合うような形状に成形されていることが好ましい。
また、把持用部品は、口腔用手術用クリップなどのクリップの把持部と嵌合し得る凹凸を有する形状を成すことが好ましい。
【発明の効果】
【０００８】
本発明に係る口腔用手術用デバイスでは、上記の構成にしているので、歯科用インプラント手術の切開部縫合に使用するクリップの取り付け及び取り外しが容易に、かつ、安全に行えるといった効果を有する。
【発明を実施するための最良の形態】
【０００９】
以下、本発明の実施形態について、図面を参照しながら詳細に説明していく。なお、本発明は図示の構成に限定されるわけでなく、本発明に係る口腔用手術用デバイスの形状、寸法その他様々な設計変更が可能である。
【実施例１】
【００１０】
図１は、本把持鉗子の本体形状を示すもので、（１）は平面図、（２）は正面図である。図１に示すように、本把持鉗子１の本体形状は、一対の柄部の各一端に把持部１３を、各他端に先端部１４をそれぞれ設け、かつ、前記把持部１３の開閉に応じて支点１２を中心に先端部１４が開閉する手術用器具において、先端部１４が図１（２）の正面図で示されるように、開閉面に対して垂直な方向に弧状に屈曲し、かつ、先端部１４に着脱自在に把持用部品（図１では示していない）が取り付け得る構成となっている。
【００１１】
図２に本把持鉗子の先端部（１ａ，１ｂ）に把持用部品を取り付けていない様子を、図３に本把持鉗子の先端部（１ａ，１ｂ）に把持用部品（２ａ，２ｂ）を取り付けている様子を示す。また、図４に本把持鉗子の先端部に別の把持用部品を取り付けた様子を示す図を示す。
図２に示すように、本把持鉗子の先端部（１ａ，１ｂ）は、外側に少なくとも１段の段差（５ａ，５ｂ）が成形され、把持用部品が該段差と噛み合うような形状に成形されている。図２〜図４に示すように、本把持鉗子の先端部（１ａ，１ｂ）に、歯科インプラント手術プロセスに応じた適切な形状を有する把持用部品（２ａ，２ｂ）を取り付ける。
この歯科インプラント手術プロセスに応じた適切な形状を有する部品とは、例えば、図６，７に示すようなクリップＡを適切に把持し得る形状を有する把持用部品である。このクリップＡの場合、把持部（２０ａ，２０ｂ）は係合し得る箇所や嵌合し得る箇所が無い凹凸のない形状をしており、このクリップＡを操作する把持用部品はクリップＡの把持部の形状のように凹凸のない形状あるいは略凹形状である。
一方、図８，９に示すようなクリップＢの場合、把持部（２１ａ，２１ｂ）に孔があり、この孔に嵌合し得る把持用部品が螺着された把持鉗子を用いてクリップＢを操作することになる。以上のように、本把持鉗子は、操作するクリップなどのデバイスの形状に合せて、適切に先端部の把持用部品の形状を取り替えることできるのが特徴である。
【００１２】
図５を用いて、本発明に係る口腔用手術用デバイスの先端部の取付方法を説明する。本把持鉗子は、先端部に手術プロセスに応じた適切な形状を有する部品を着脱可能としている。図１に示すように、図５（１）にある部品（２ａ，２ｂ）を、図５（２）の本把持鉗子の先端部（１ａ，１ｂ）に取り付ける。取り付けた様子を図５（３），（４）に示す。ここでは、部品（２ａ，２ｂ）と本把持鉗子の先端部（１ａ，１ｂ）は、螺子（３ａ，３ｂ）を用いて取り付けている。
【産業上の利用可能性】
【００１３】
本発明は、主として歯科用インプラント手術の切開部縫合に使用するクリップの取り付け及び取り外しのための手術用補助具として有用である。
【図面の簡単な説明】
【００１４】
【図１】本把持鉗子の本体形状で、（１）は平面図、（２）は正面図である。
【図２】本把持鉗子の先端部に把持用部品を取り付けていない様子を示す図
【図３】本把持鉗子の先端部に把持用部品を取り付けている様子を示す図
【図４】本把持鉗子の先端部に別の把持用部品を取り付けた様子を示す図
【図５】本把持鉗子の先端部に把持用部品を取り付けるプロセスを説明する図
【図６】把持鉗子の先端部で掴むクリップＡの外観斜視図
【図７】把持鉗子の先端部で掴むクリップＡの正面図
【図８】把持鉗子の先端部で掴むクリップＢの外観斜視図
【図９】把持鉗子の先端部で掴むクリップＢの正面図
【符号の説明】
【００１５】
１  把持鉗子
１２  支点
１３  把持部
１４  先端部
１５  取付け螺子孔
１ａ，１ｂ  先端部
２ａ，２ｂ  把持用部品
３ａ，３ｂ  螺子
４ａ，４ｂ  取付け螺子孔
５ａ，５ｂ  段差
６ａ，６ｂ  薄肉部
２０ａ，２０ｂ  クリップＡの把持部
２１ａ，２１ｂ  クリップＢの把持部
【図１】
2008264250.tif 000003
【図２】
2008264250.tif 000004
【図３】
2008264250.tif 000005
【図４】
2008264250.tif 000006
【図５】
2008264250.tif 000007
【図６】
2008264250.tif 000008
【図７】
2008264250.tif 000009
【図８】
2008264250.tif 000010
【図９】
2008264250.tif 000011